(57)【要約】  本発明は保護シートまたは保護ガラスと携帯電話とを接続する方法を開示し、ユーザーはダウンロードにより携帯電話ＡＰＰをインストールし、前記携帯電話ＡＰＰは携帯電話のタッチパネルの表示ウィンドウの辺縁部または操作アイコンがない領域に一つまたは複数のＡＰＰ隠しアイコンを組み込み、保護シートまたは保護ガラスが携帯電話のタッチパネルに貼り付けられ、携帯電話のパネルの上端または下端における無反応部分をタッチし、保護シートまたは保護ガラスにおいてタッチボタンを形成し、いずれか一つのタッチボタンを操作することにより、タッチパネルＡＰＰの隠しアイコンにおける静電容量の変化を引き起こし、ＣＰＵデータの入出力は該携帯電話ＡＰＰに迅速でかつ容易に開始または終了させる。本発明はユーザーの携帯電話の抗スクラッチ及び汚れ防止などの一連の伝統的な用途を増加するほか、スマートフォンシステムを開発することにより、ユーザー自身は必要に応じて容易にＡＰＰ設定をダウンロードし、携帯電話のウィンドウ外の元よりタッチ反応がない領域を操作することが可能になり、よく使われるアプリケーションの開始または終了を迅速に実現し、携帯電話の活用領域を拡大し、体験感と面白さを高める。【選択図】図１
2017521969.tif 000002
【特許請求の範囲】
【請求項１】
保護シートまたは保護ガラスと携帯電話とを接続する方法であって、以下のステップを含むことを特徴とする方法。
（１）ユーザーは携帯電話のメーカーに基づいてネットワーク識別により携帯電話のオペレーティングシステムに対して特定に開発された携帯電話ＡＰＰをダウンロードかつインストールするステップであって、携帯電話ＡＰＰはＡｎｄｒｏｉｄ、Ｗｉｎｄｏｗｓ（登録商標）のようなスマートフォンシステムを通じて開発され、各メーカーの携帯電話の表示ウィンドウの辺縁部またはアイコンがない領域に、ショートメール・ウィーチャット・連絡帳のような一つまたは複数のＡＰＰ隠しアイコンを組み込み、携帯電話のタッチパネルにおけるトリガーポイントに対応して設けられたトリガーポイント及びＡＰＰ隠しアイコンをタッチすることにより、携帯電話ＡＰＰの設定したアプリケーション機能を実現するステップ。
（２）保護シートまたは保護ガラスが携帯電話のタッチパネルに貼り付けられ、携帯電話の画面の上端または下端における無反応の部分をタッチし、保護シートまたは保護ガラスにおける非固定位置において一つまたは複数の透明導電性のタッチボタンを形成し、前記ステップ（１）の携帯電話タッチパネルにおけるＡＰＰ隠しアイコンとトリガーポイントの上方に対応し、保護シートまたは保護ガラスの対応領域において誘導電極を形成し、極細透明リード線により、トリガーポイントと対応する一つまたは複数のタッチボタンに電気的に接続され、いずれか一つのタッチボタンを操作し、保護シートまたは保護ガラスにおける誘導電極及び携帯電話のタッチパネルにおけるトリガーポイントの静電容量値の変化を引き起こし、前記ステップ（１）における携帯電話ＡＰＰに対応して設定されたアプリケーション機能を実現するステップ。
【請求項２】
上記保護シートまたは保護ガラスは透明材料で形成された四層の材料層からなり、下から上へ順にシリコンゴム層、導電層、基材層及び硬化層であり、上記保護シートまたは保護ガラスにおけるタッチボタン、誘導電極及び極細透明リード線はいずれも透明導電材料であり、具体的にはＩＴＯまたは透明導電性ポリマー等であり、コーティング後のフォトレジストまたはプリント方式で製造されることを特徴とする請求項１に記載の保護シートまたは保護ガラスと携帯電話とを接続する方法。
【請求項３】
上記保護シートまたは保護ガラスにおける誘導電極がトリガーポイントの位置に対応し、その面積サイズは正常な人指のタッチ領域のサイズ以下であり、携帯電話のタッチパネルの正常な指タッチ操作に影響を及ぼすことがないことを特徴とする請求項１に記載の保護シートまたは保護ガラスと携帯電話とを接続する方法。
【請求項４】
保護シートまたは保護ガラスは透明材料で形成された四層の材料層からなり、下から上へ順にシリコンゴム層、導電層、基材層及び硬化層であり、上記保護シートまたは保護ガラスが携帯電話のタッチパネルに対応して貼り付けられ、非固定位置にタッチボタン及び誘導電極が設けられ、そのうち、保護シートまたは保護ガラスの携帯電話のタッチパネルの上端または下端のタッチ無反応の部分の非固定位置に対応して一つまたは複数のタッチボタンが設置され、保護シートまたは保護ガラスの表示ウィンドウ内の非固定位置に一つまたは複数の誘導電極が設置され、上記タッチボタンが極細透明リード線を通じて誘導電極に電気的に接続されることを特徴とする保護シートまたは保護ガラス。
【請求項５】
携帯電話のタッチパネル表示ウィンドウ内の非固定位置にトリガーポイントを有し、上記保護シートまたは保護ガラスにおける誘導電極と携帯電話のタッチパネルにおけるトリガーポイントと上下対応して誘導し、保護シートまたは保護ガラスにおけるタッチボタンをタッチすることにより、保護シートまたは保護ガラスにおける誘導電極及び携帯電話のタッチパネルにおけるトリガーポイントの静電容量値の変化を引き起こし、携帯電話の一つまたは一連の機能を完成することを特徴とする請求項４に記載の保護シートまたは保護ガラス。
【請求項６】
上記保護シートまたは保護ガラスにおけるタッチボタン、誘導電極及び極細透明リード線はいずれも透明導電材料であり、具体的にはＩＴＯまたは透明導電性ポリマー等であり、コーティング後のフォトレジストまたはプリント方式で製造されることを特徴とする請求項４に記載の保護シートまたは保護ガラス。
【請求項７】
前記極細透明リード線は複数本の携帯電話のタッチパネルのタッチ制御配線を跨り、極細透明リード線は跨り部分の電磁遮蔽を引き起こすことがなく、携帯電話のタッチパネルの正常な指タッチに影響を及ぼすことがないことを特徴とする請求項４に記載の保護シートまたは保護ガラス。
【請求項８】
上記保護シートまたは保護ガラスは、前記保護シートまたは保護ガラスにおける誘導電極がトリガーポイントの位置に対応し、面積は正常な人指のタッチ領域の大きさ以下であり、携帯電話のタッチパネルの正常な指タッチ操作に影響を及ぼすことがないことを特徴とする請求項４に記載の保護シートまたは保護ガラス。
【発明の詳細な説明】
【技術分野】
【０００１】
本発明は携帯電話のアクセサリ技術分野に関し、特に保護シートまたは保護ガラス、及び保護シートまたは保護ガラスを用いて携帯電話とを接続する方法に関する。
【背景技術】
【０００２】
従来のＰＣから今現在のモバイル端末へ、携帯電話は人々の日常生活においてますます重要な役割を果たしている。携帯電話に基づいてショートメール、電話、チャットをするなどの基本的な通信機能を利用する以外に、ファイルを処理したりテレビを鑑賞したりゲームを楽しんだりするといった様々な仕事及び娯楽活動を行うことが可能になる。しかしながら、現在の携帯電話の画面は一つの可視面のみ有し、携帯電話の画面で一つの活動−特にゲームをし、文章を読み、動画を見るなどの活動−を行うときに、携帯電話の画面がいっぱいに占められ、この時ショートメールや電話を受信する時に、現在行っている活動をしばらく終了し、手動でショートメールや電話の画面に切換え、処理した後手動で先ほどのフルスクリーンページに入らなければならない。このように利便性を欠き、時間も無駄になり、好適な操作体験を得ることができない。
【発明の概要】
【発明が解決しようとする課題】
【０００３】
本発明は、保護シートまたは保護ガラスと携帯電話とを接続する方法を提供し、携帯電話のタッチパネルに対する精細なタッチ操作を容易に携帯電話のタッチパネル以外の部分に延伸させるタッチボタンによって実現することが可能になり、よく使われるアプリケーションの開始と終了を迅速に実現し、携帯電話の活用分野を拡大することを目的とする。
【課題を解決するための手段】
【０００４】
上記目的を実現するために、本発明が提供する課題解決手段は以下のとおりである。
【０００５】
保護シートまたは保護ガラスと携帯電話とを接続する方法を提供し、以下のステップ（１）、（２）を含むことを特徴とする方法。
（１）ユーザーは携帯電話のメーカーに基づいてネットワーク識別により携帯電話のオペレーティングシステムに対して特定に開発された携帯電話ＡＰＰ（アプリケーションプログラム）をダウンロードかつインストールするステップであって、携帯電話ＡＰＰは、Ａｎｄｒｏｉｄ、Ｗｉｎｄｏｗｓ（登録商標）のようなスマートフォンシステムを通じて開発され、各メーカーの携帯電話の表示ウィンドウの辺縁部またはアイコンがない領域に、ショートメール・ウィーチャット・連絡帳のような、一つまたは複数のＡＰＰ隠しアイコンを組み込み、携帯電話のタッチパネルにおけるトリガーポイントに対応して設けられたトリガーポイント及びＡＰＰ隠しアイコンをタッチすることにより、携帯電話ＡＰＰで設定されたアプリケーション機能を完成（実現）するステップ。
（２）保護シートまたは保護ガラスが携帯電話のタッチパネルに貼り付けられ、携帯電話の画面の上端または下端における無反応の部分をタッチし、保護シートまたは保護ガラスにおける非固定位置において一つまたは複数の透明導電性のタッチボタンを形成し、前記ステップ（１）の携帯電話タッチパネルにおけるＡＰＰ隠しアイコンとトリガーポイントの上方に対応し、保護シートまたは保護ガラスの対応領域において誘導電極を形成し、極細透明リード線により、トリガーポイントが対応する一つまたは複数のタッチボタンに電気的に接続され、いずれか一つのタッチボタンを操作し、保護シートまたは保護ガラスにおける誘導電極及び携帯電話のタッチパネルにおけるトリガーポイントの静電容量値の変化を引き起こし、前記ステップ（１）における携帯電話ＡＰＰに対応して設定されたアプリケーション機能を実現するステップ。
【０００６】
上記保護シートまたは保護ガラスと携帯電話とを接続する方法において、上記保護シートまたは保護ガラスは透明材料で形成された四層の材料層からなり、下から上へ順にシリコンゴム層、導電層、基材層及び硬化層であり、上記保護シートまたは保護ガラスにおけるタッチボタン、誘導電極及び極細透明リード線はいずれも透明導電材料であり、具体的にはＩＴＯまたは透明導電性ポリマー等であり、コーティング後のフォトレジストまたはプリント方式で製造される。
【０００７】
上記保護シートまたは保護ガラスと携帯電話とを接続する方法において、上記保護シートまたは保護ガラスにおける誘導電極が隠しＡＰＰアイコンまたはトリガーポイントの位置に対応し、面積は正常な人の指タッチ領域の大きさ以下であり、携帯電話のタッチパネルの正常な指タッチ操作に影響を及ぼさない。
【０００８】
次に保護シートまたは保護ガラスをさらに提供し、上記保護シートまたは保護ガラスは透明材料で形成された四層の材料層からなり、下から上へ順にシリコンゴム層、導電層、基材層及び硬化層であり、上記保護シートまたは保護ガラスが携帯電話のタッチパネルに対応して貼り付けられ、非固定位置にタッチボタン及び誘導電極が設けられ、そのうち、保護シートまたは保護ガラスの携帯電話のタッチパネルの上端または下端のタッチ無反応の部分の非固定位置に対応して一つまたは複数のタッチボタンが設置され、保護シートまたは保護ガラスの表示ウィンドウ内の非固定位置に一つまたは複数の誘導電極が設置され、上記タッチボタンが極細透明リード線を通じて誘導電極に電気的に接続される。
【０００９】
上記保護シートまたは保護ガラスは、携帯電話のタッチパネル表示ウィンドウ内の非固定位置にトリガーポイントを有し、上記保護シートまたは保護ガラスにおける誘導電極と携帯電話のタッチパネルにおけるトリガーポイントと上下に対応して誘導し、保護シートまたは保護ガラスにおけるタッチボタンをタッチすることにより、保護シートまたは保護ガラスにおける誘導電極及び携帯電話のタッチパネルにおけるトリガーポイントの静電容量値の変化を引き起こし、携帯電話の一つまたは一連の機能を達成する。
【００１０】
上記保護シートまたは保護ガラスは、前記保護シートまたは保護ガラスにおけるタッチボタン、誘導電極及び極細透明リード線はいずれも透明導電材料であり、具体的にはＩＴＯまたは透明導電性ポリマー等であり、フォトレジストまたはプリント方式により製造される。
【００１１】
前記極細透明リード線は複数本の携帯電話のタッチパネルのタッチ制御配線を跨り、極細透明リード線は跨り部分の電磁遮蔽を引き起こすことがなく、それゆえ上記保護シートまたは保護ガラスは携帯電話のタッチパネルの正常な指タッチに影響を及ぼさない。
【００１２】
前記保護シートまたは保護ガラスにおける誘導電極はトリガーポイントの位置に対応し、面積は正常な人指のタッチ領域の大きさ以下であり、携帯電話のタッチパネルの正常な指タッチ操作に影響を及ぼさない。
【００１３】
従来技術に比べ、本発明の有益な効果は以下のとおりであり、本発明は保護シートまたは保護ガラスを携帯電話に貼り付けることにより、ユーザーの携帯電話の抗スクラッチ及び汚れ防止などの一連の伝統的な用途を増加する以外に、保護シートまたは保護ガラスの携帯電話のタッチパネル領域の外に一つまたは複数のタッチボタンを設置し、タッチボタンが保護シート内層の極細透明リード線を介して携帯電話のタッチパネルに接続され、タッチボタンをタッチすることにより、携帯電話のタッチパネルに対する精細で極小な領域のタッチ操作を容易に携帯電話のタッチパネル以外の部分に延伸させタッチボタンにより達成し、タッチパネルそのものの正常な操作に影響を及ぼさず、ユーザー自身は必要に応じて容易にＡＰＰ設定をダウンロードし、携帯電話のウィンドウ外の元よりタッチ反応がない領域を操作することが可能になり、携帯電話の活用領域を拡大し、操作時間を節約し、操作の複雑度を下げて、体験感と面白さを高める。
【００１４】
以下の説明でかつ図面を組み合わせることにより、本発明はより明確になり、これらの図面は本発明の実施形態を説明するのに用いられる。
【図面の簡単な説明】
【００１５】
【図１】図１は、本発明の実施形態の保護シートまたは保護ガラスの分層構造を示す図である。
【図２】図２は、本発明の実施形態の携帯電話タッチパネル及びトリガーポイントを示す図である。
【図３】図３は、本発明の実施形態の保護シートまたは保護ガラスの導電層の構造を示す図である。
【発明を実施するための形態】
【００１６】
次から図面を参照して本発明の実施形態を説明し、図面における類似する参照符号は類似する部位を代表する。
【００１７】
図１、図２と図３を参照して理解されるように、本発明の実施形態はまず、保護シートまたは保護ガラスが準備される。この保護シートまたは保護ガラスは、透明材料により形成された四層材料層で構成され、下から上へ順にシリコンゴム層１１、導電層１２、基材層１４及び硬化層１４である。そして、携帯電話の前面のタッチパネル２０にこの保護シートまたは保護ガラスが貼り付けられる。携帯電話の任意の位置（非固定位置）に、タッチボタン３１及び誘導電極３２が設けられる。そして、タッチパネル２０の上端または下端のタッチ無反応の部分に対応して一つまたは複数のタッチボタン３１が設けられると共に、保護シートまたは保護ガラス表示ウィンドウ内の非固定位置に一つまたは複数の誘導電極３２が設けられ、前記タッチボタン３１と誘導電極３２とは、極細透明リード線３４を介して電気的に接続される。
【００１８】
上記保護シートまたは保護ガラスは、携帯電話のタッチパネル２０の表示ウィンドウ内の非固定位置にトリガーポイント２１を有し、上記保護シートまたは保護ガラスにおける誘導電極３２が携帯電話のタッチパネル２０におけるトリガーポイント２１に上下対応して設けられる。保護シートまたは保護ガラスにおけるタッチボタン３１がタッチされると、保護シートまたは保護ガラスにおける誘導電極３２及び携帯電話のタッチパネルにおけるトリガーポイント２１における静電容量値が変化し、携帯電話の一つまたは一連の機能を引き起こすことができる。
【００１９】
上記保護シートまたは保護ガラスは、前記保護シートまたは保護ガラスにおけるタッチボタン３１、誘導電極３２及び極細透明リード線３４はいずれも透明導電材料であり、具体的にはＩＴＯまたは透明導電性ポリマー等であり、コーティング後のフォトレジストまたはプリント方式で製造される。
【００２０】
前記極細透明リード線３４は複数本の携帯電話タッチパネルのタッチ配線を跨り、極細透明リード線３４は跨る部分の電磁遮蔽を引き起こすことがなく、それゆえ上記保護シートまたは保護ガラスは、携帯電話のタッチパネルの正常な指タッチに影響を及ぼさない。
【００２１】
上記保護シートまたは保護ガラスは、前記保護シートまたは保護ガラスにおける誘導電極３２はトリガーポイントの位置に対応し、面積は正常な人の指タッチ領域の大きさ以下であり、携帯電話のタッチパネルの正常な指タッチ操作に影響を及ぼすことがない。
【００２２】
本実施形態はさらに保護シートまたは保護ガラスと携帯電話とを接続する方法を開示し、以下のステップを含む。
（１）ユーザーは携帯電話のメーカーに基づいてネットワーク識別により携帯電話のオペレーティングシステムに対して特定に開発された携帯電話ＡＰＰをダウンロードかつインストールするステップであって、前記携帯電話ＡＰＰが携帯電話のタッチパネル表示ウィンドウの辺縁部または操作アイコンがない領域に一つまたは複数のＡＰＰ隠しアイコンを組み込み、携帯電話のタッチパネルにおけるトリガーポイントに対応して設けられたトリガーポイント及びＡＰＰ隠しアイコンをタッチすることにより、携帯電話のＡＰＰの設定したアプリケーション機能を実現する。
（２）保護シートまたは保護ガラスが携帯電話のタッチパネルに貼り付けられ、携帯電話の画面の上端または下端に無反応の部分をタッチし、保護シートまたは保護ガラスにおける非固定位置において一つまたは複数の透明導電性のタッチボタンを形成し、前記ステップ（１）の携帯電話タッチパネルにおけるＡＰＰ隠しアイコンとトリガーポイントの上方に対応し、保護シートまたは保護ガラスの対応領域において誘導電極を形成し、極細透明リード線により、トリガーポイントと対応する一つまたは複数のタッチボタンに電気的に接続され、いずれか一つのタッチボタンを操作し、保護シートまたは保護ガラスにおける誘導電極及び携帯電話のタッチパネルにおけるトリガーポイントの静電容量値の変化を引き起こし、前記ステップ（１）における携帯電話ＡＰＰに対応して迅速でかつ容易に開始または終了等の予め設定されたアプリケーション機能を実現する。
【００２３】
上図１−３を組み合わせ、保護シートまたは保護ガラスを携帯電話に貼り付けることにより、ユーザーの携帯電話の抗スクラッチ及び汚れ防止などの一連の伝統的な用途を増加する以外に、保護シートまたは保護ガラスの携帯電話のタッチパネル領域の外に一つまたは複数のタッチボタンを設置し、タッチボタンが保護シート内層の極細透明リード線を介して携帯電話のタッチパネルに接続され、タッチボタンをタッチすることにより、携帯電話のタッチパネルに対する精細で極小な領域のタッチ操作を容易に携帯電話のタッチパネル以外の部分に延伸させたタッチボタンが完成し、タッチパネルそのものの正常な操作に影響を及ぼさず、ユーザー自身は必要に応じて容易に設定に必要なＡＰＰをダウンロードし、携帯電話のウィンドウ外の元よりタッチ反応がない領域を操作することが可能になり、携帯電話の操作領域を拡大し、操作時間を節約し、操作の複雑度を下げて、体験感と面白さを高める。
【００２４】
前記開示されたものは本発明の好ましい実施形態に過ぎず、本発明の特許請求の範囲を限定的に解釈するものではない。従って、本発明の特許請求の範囲により行われる同等な変化は、依然として本発明に覆われた範囲に属する。
【図１】
2017521969.tif 000003
【図２】
2017521969.tif 000004
【図３】
2017521969.tif 000005
【国際調査報告】
2017521969.tif 000006
2017521969.tif 000007
2017521969.tif 000008
2017521969.tif 000009